【手続補正書】
【提出日】平成27年6月18日(2015.6.18)
【手続補正１】
【補正対象書類名】特許請求の範囲
【補正対象項目名】全文
【補正方法】変更
【補正の内容】
【特許請求の範囲】
【請求項１】
撮影光学系を通過した被写体光を光電変換して一対の像信号を生成する信号生成手段と、
第１の焦点検出領域に対応する前記一対の像信号に基づいてデフォーカス量を検出する検出手段と、
前記第１の焦点検出領域のデフォーカス量検出結果に基づいてフォーカスレンズの位置を制御するフォーカス制御手段と、
前記フォーカスレンズの位置の制御に伴って、表示領域への合焦表示を制御する表示制御手段とを有し、
前記表示領域が複数ある前記第１の焦点検出領域と、当該複数の表示領域のそれぞれに対応する複数の第２の焦点検出領域がある場合、前記検出手段は、前記複数の第２の焦点検出領域のそれぞれにおいてデフォーカス量を検出し、前記表示制御手段は、当該検出結果に基づく前記表示領域に合焦表示を行うことを特徴とする焦点調節装置。
【請求項２】
前記表示制御手段は、前記第１の焦点検出領域とのデフォーカス量検出結果の差が他の前記第２の焦点検出領域より小さい前記第２の焦点検出領域に対応する表示領域に合焦表示を行うことを特徴とする請求項１に記載の焦点調節装置。
【請求項３】
前記表示制御手段は、前記第１の焦点検出領域とのデフォーカス量検出結果の差が第１の所定値より小さい前記第２の焦点検出領域に対応する表示領域に合焦表示を行うことを特徴とする請求項１または２に記載の焦点調節装置。
【請求項４】
前記表示制御手段は、前記第１の焦点検出領域とのデフォーカス量検出結果の差が全ての前記第２の焦点検出領域において前記第１の所定値以上の場合、または全ての前記第２の焦点検出領域において前記第１の所定値より小さい場合、前記第１の焦点検出領域に対応する全ての表示領域に合焦表示を行うことを特徴とする請求項３に記載の焦点調節装置。
【請求項５】
前記フォーカス制御手段により前記第１の焦点検出領域のデフォーカス量検出結果が所定の判定値より小さくなる位置へ前記フォーカスレンズを移動させた後、前記表示制御手段は、前記分割領域のデフォーカス量検出結果に基づいて合焦表示を行う表示領域を判定し表示することを特徴とする請求項１乃至４のいずれか１項に記載の焦点調節装置。
【請求項６】
前記表示制御手段は、前記第１の焦点検出領域とのデフォーカス量検出結果の差が第１の所定値より小さい前記第２の焦点検出領域に対応する表示領域に合焦表示を行い、
前記第１の所定値は、前記所定の判定値より大きな値であることを特徴とする請求項５に記載の焦点調節装置。
【請求項７】
前記第１の焦点検出領域と前記複数の第２の焦点検出領域は、直交するように配置されていることを特徴とする請求項１乃至６のいずれか１項に記載の焦点調節装置。
【請求項８】
前記信号生成手段は、複数の前記第１の焦点検出領域を備え、前記複数の第１の焦点検出領域のそれぞれにおいて一対の像信号を生成して出力し、
前記検出手段は、前記像信号の信頼度をそれぞれ算出し、前記フォーカス制御手段は、最も信頼度の高い像信号に対応する前記第１の焦点検出領域のデフォーカス量検出結果に基づいて前記フォーカスレンズの位置を制御することを特徴とする請求項１乃至７のいずれか１項に記載の焦点調節装置。
【請求項９】
撮影光学系を通過した被写体光を光電変換して一対の像信号を生成する信号生成手段と、
焦点検出領域に対応する前記一対の像信号に基づいてデフォーカス量を検出する検出手段と、
前記焦点検出領域のデフォーカス量検出結果に基づいてフォーカスレンズの位置を制御するフォーカス制御手段と、
前記フォーカスレンズの位置の制御に伴って、表示領域への合焦表示を制御する表示制御手段とを有し、
前記表示領域が複数ある前記焦点検出領域において、前記検出手段は、前記焦点検出領域を分割して成る分割領域ごとにデフォーカス量を検出し、前記表示制御手段は、当該検出結果に基づく前記表示領域に合焦表示を行うことを特徴とする焦点調節装置。
【請求項１０】
前記表示制御手段は、分割前の前記焦点検出領域とのデフォーカス量検出結果の差が第１の分割領域より小さい第２の分割領域に対応する表示領域に合焦表示を行うことを特徴とする請求項９に記載の焦点調節装置。
【請求項１１】
前記表示制御手段は、分割前の前記焦点検出領域とのデフォーカス量検出結果の差が第２の所定値より小さい分割領域に対応する表示領域に合焦表示を行うことを特徴とする請求項９または１０に記載の焦点調節装置。
【請求項１２】
前記表示制御手段は、分割前の前記焦点検出領域とのデフォーカス量検出結果の差が全ての分割領域において前記第２の所定値以上の場合、または全ての分割領域において前記第２の所定値より小さい場合、前記焦点検出領域に対応する全ての表示領域に合焦表示を行うことを特徴とする請求項１１に記載の焦点調節装置。
【請求項１３】
前記フォーカス制御手段により前記焦点検出領域のデフォーカス量検出結果が所定の判定値より小さくなる位置へ前記フォーカスレンズを移動させた後、前記表示制御手段は、前記分割領域のデフォーカス量検出結果に基づいて合焦表示を行う表示領域を判定し表示することを特徴とする請求項９乃至１２のいずれか１項に記載の焦点調節装置。
【請求項１４】
前記表示制御手段は、分割前の前記焦点検出領域とのデフォーカス量検出結果の差が第２の所定値より小さい分割領域に対応する表示領域に合焦表示を行い、
前記第２の所定値は、前記所定の判定値より大きな値であることを特徴とする請求項１３に記載の焦点調節装置。
【請求項１５】
前記検出手段は、前記分割領域のデフォーカス量を検出する場合、分割前の前記焦点検出領域のデフォーカス量検出結果が前記所定の判定値より小さくなった際の前記焦点検出領域の光電変換結果を用いることを特徴とする請求項１３又は１４に記載の焦点調節装置。
【請求項１６】
前記信号生成手段は、複数の焦点検出領域を備え、各焦点検出領域でそれぞれ一対の像信号を生成して出力し、
前記検出手段は、前記像信号の信頼度をそれぞれ算出し、前記フォーカス制御手段は、最も信頼度の高い像信号に対応する前記焦点検出領域のデフォーカス量検出結果に基づいて前記フォーカスレンズの位置を制御することを特徴とする請求項９乃至１５のいずれか１項に記載の焦点調節装置。
【請求項１７】
前記検出手段は、前記分割領域における像信号の信頼度を算出し、当該信頼度が所定の閾値以下の場合、前記表示制御手段は、前記焦点検出領域に対応する全ての表示領域に合焦表示を行うことを特徴とする請求項９乃至１６のいずれか１項に記載の焦点調節装置。
【請求項１８】
撮影光学系を通過した被写体光を光電変換して一対の像信号を生成する信号生成手段と、
焦点検出領域に対応する前記一対の像信号に基づいてデフォーカス量を検出する検出手段と、
前記焦点検出領域のデフォーカス量検出結果に基づいてフォーカスレンズの位置を制御するフォーカス制御手段と、
前記フォーカスレンズの位置の制御に伴って、表示領域への合焦表示を制御する表示制御手段とを有し、
前記表示領域が複数ある前記焦点検出領域において、前記検出手段は、前記焦点検出領域を分割して成る分割領域における像信号のコントラストを算出し、前記表示制御手段は、当該コントラストに基づく前記表示領域に合焦表示を行うことを特徴とする焦点調節装置。
【請求項１９】
前記表示制御手段は、前記検出手段により前記分割領域における像信号のコントラストが算出された結果、第１の表示領域のコントラストに対して第２の表示領域のコントラストが所定の比率より大きい場合、前記第２の表示領域に合焦表示を行うことを特徴とする請求項１８に記載の焦点調節装置。
【請求項２０】
前記第１の表示領域と前記第２の表示領域それぞれのコントラスト同士の比率が前記所定の比率以下の場合、前記表示制御手段は、前記第１の表示領域及び前記第２の表示領域に合焦表示を行うことを特徴とする請求項１９に記載の焦点調節装置。
【請求項２１】
被写体像を光電変換して画像信号を生成し出力する撮像手段と、
前記画像信号に基づいて特定の被写体を検出する被写体検出手段と、
撮影光学系を通過した被写体光を光電変換して一対の像信号を生成する信号生成手段と、
焦点検出領域に対応する前記一対の像信号に基づいてデフォーカス量を検出する検出手段と、
前記焦点検出領域のデフォーカス量検出結果に基づいてフォーカスレンズの位置を制御するフォーカス制御手段と、
前記フォーカスレンズの位置の制御に伴って、表示領域への合焦表示を制御する表示制御手段とを有し、
前記表示領域が複数ある前記焦点検出領域において、前記表示制御手段は、前記被写体検出手段により前記特定の被写体が検出された表示領域に合焦表示を行うことを特徴とする焦点調節装置。
【請求項２２】
撮影光学系を通過した被写体光を光電変換して一対の像信号を生成する信号生成手段を有する焦点調節装置の制御方法であって、
焦点検出領域に対応する前記一対の像信号に基づいてデフォーカス量を検出するステップと、
前記焦点検出領域のデフォーカス量検出結果に基づいてフォーカスレンズの位置を制御するステップと、
前記フォーカスレンズの位置の制御に伴って、表示領域への合焦表示を制御するステップとを有し、
前記表示領域が複数ある前記焦点検出領域において、前記焦点検出領域を分割して成る分割領域ごとにデフォーカス量を検出し、当該検出結果に基づく前記表示領域に合焦表示を行うことを特徴とする焦点調節装置の制御方法。
【請求項２３】
撮影光学系を通過した被写体光を光電変換して一対の像信号を生成する信号生成手段を有する焦点調節装置の制御方法であって、
焦点検出領域に対応する前記一対の像信号に基づいてデフォーカス量を検出するステップと、
前記焦点検出領域のデフォーカス量検出結果に基づいてフォーカスレンズの位置を制御するステップと、
前記フォーカスレンズの位置の制御に伴って、表示領域への合焦表示を制御するステップとを有し、
前記表示領域が複数ある前記焦点検出領域において、前記焦点検出領域を分割して成る分割領域における像信号のコントラストを算出し、当該コントラストに基づく前記表示領域に合焦表示を行うことを特徴とする焦点調節装置の制御方法。
【請求項２４】
被写体像を光電変換して画像信号を生成し出力する撮像手段と、撮影光学系を通過した被写体光を光電変換して一対の像信号を生成する信号生成手段を有する焦点調節装置の制御方法であって、
前記画像信号に基づいて、特定の被写体を検出するステップと、
焦点検出領域に対応する前記一対の像信号に基づいてデフォーカス量を検出するステップと、
前記焦点検出領域のデフォーカス量検出結果に基づいてフォーカスレンズの位置を制御するステップと、
前記フォーカスレンズの位置の制御に伴って、表示領域への合焦表示を制御するステップとを有し、
前記表示領域が複数ある前記焦点検出領域において、前記特定の被写体が検出された表示領域に合焦表示を行うことを特徴とする焦点調節装置の制御方法。
【請求項２５】
撮影光学系を通過した被写体光を光電変換して一対の像信号を生成する信号生成手段を有する焦点調節装置の制御方法であって、
第１の焦点検出領域に対応する前記一対の像信号に基づいてデフォーカス量を検出するステップと、
前記第１の焦点検出領域のデフォーカス量検出結果に基づいてフォーカスレンズの位置を制御するステップと、
前記フォーカスレンズの位置の制御に伴って、表示領域への合焦表示を制御するステップとを有し、
前記表示領域が複数ある前記第１の焦点検出領域と、当該複数の表示領域のそれぞれに対応する複数の第２の焦点検出領域がある場合、前記複数の第２の焦点検出領域のそれぞれにおいてデフォーカス量を検出し、当該検出結果に基づく前記表示領域に合焦表示を行うことを特徴とする焦点調節装置の制御方法。
【手続補正２】
【補正対象書類名】明細書
【補正対象項目名】０００６
【補正方法】変更
【補正の内容】
【０００６】
上記目的を達成するために、第１の本発明は、撮影光学系を通過した被写体光を光電変換して一対の像信号を生成する信号生成手段と、焦点検出領域に対応する前記一対の像信号に基づいてデフォーカス量を検出する検出手段と、前記焦点検出領域のデフォーカス量検出結果に基づいてフォーカスレンズの位置を制御するフォーカス制御手段と、前記フォーカスレンズの位置の制御に伴って、表示領域への合焦表示を制御する表示制御手段とを有する焦点調節装置であって、前記表示領域が複数ある前記焦点検出領域において、前記検出手段は、前記焦点検出領域を分割して成る分割領域ごとにデフォーカス量を検出し、前記表示制御手段は、当該検出結果に基づく前記表示領域に合焦表示を行うことを特徴とする。
【手続補正３】
【補正対象書類名】明細書
【補正対象項目名】０００７
【補正方法】変更
【補正の内容】
【０００７】
第２の本発明は、撮影光学系を通過した被写体光を光電変換して一対の像信号を生成する信号生成手段と、焦点検出領域に対応する前記一対の像信号に基づいてデフォーカス量を検出する検出手段と、前記焦点検出領域のデフォーカス量検出結果に基づいてフォーカスレンズの位置を制御するフォーカス制御手段と、前記フォーカスレンズの位置の制御に伴って、表示領域への合焦表示を制御する表示制御手段とを有する焦点調節装置であって、前記表示領域が複数ある前記焦点検出領域において、前記検出手段は、前記焦点検出領域を分割して成る分割領域における像信号のコントラストを算出し、前記表示制御手段は、当該コントラストに基づく前記表示領域に合焦表示を行うことを特徴とする。
【手続補正４】
【補正対象書類名】明細書
【補正対象項目名】０００８
【補正方法】変更
【補正の内容】
【０００８】
第３の本発明は、被写体像を光電変換して画像信号を生成し出力する撮像手段と、前記画像信号に基づいて特定の被写体を検出する被写体検出手段と、撮影光学系を通過した被写体光を光電変換して一対の像信号を生成する信号生成手段と、焦点検出領域に対応する前記一対の像信号に基づいてデフォーカス量を検出する検出手段と、前記焦点検出領域のデフォーカス量検出結果に基づいてフォーカスレンズの位置を制御するフォーカス制御手段と、前記フォーカスレンズの位置の制御に伴って、表示領域への合焦表示を制御する表示制御手段とを有する焦点調節装置であって、前記表示領域が複数ある前記焦点検出領域において、前記表示制御手段は、前記被写体検出手段により前記特定の被写体が検出された表示領域に合焦表示を行うことを特徴とする。
【手続補正５】
【補正対象書類名】明細書
【補正対象項目名】０００９
【補正方法】変更
【補正の内容】
【０００９】
第４の本発明は、撮影光学系を通過した被写体光を光電変換して一対の像信号を生成する信号生成手段と、第１の焦点検出領域に対応する前記一対の像信号に基づいてデフォーカス量を検出する検出手段と、前記第１の焦点検出領域のデフォーカス量検出結果に基づいてフォーカスレンズの位置を制御するフォーカス制御手段と、前記フォーカスレンズの位置の制御に伴って、表示領域への合焦表示を制御する表示制御手段とを有する焦点調節装置であって、前記表示領域が複数ある前記第１の焦点検出領域と、当該複数の表示領域のそれぞれに対応する複数の第２の焦点検出領域がある場合、前記検出手段は、前記複数の第２の焦点検出領域のそれぞれにおいてデフォーカス量を検出し、当該検出結果に基づく前記表示領域に合焦表示を行うことを特徴とする。
【手続補正６】
【補正対象書類名】明細書
【補正対象項目名】００３４
【補正方法】変更
【補正の内容】
【００３４】
ステップＳ１０７〜ステップＳ１０９は、表示判定動作である。ステップＳ１０７では、システムコントローラ１１３は、ステップＳ１０６の検出結果ｄｅｆ２とステップＳ１０２の分割前の検出結果ｄｅｆ１の差が判定値ａ（第２の所定値）より小さいか否かを判定する。差（｜ｄｅｆ２−ｄｅｆ１｜）が所定の判定値ａよりも小さい場合は、ステップＳ１０８へ進む。一方、差（｜ｄｅｆ２−ｄｅｆ１｜）が判定値ａ以上（第２の所定値以上）の場合は、ステップＳ１０９へ進む。ここで、判定値ａを合焦判定値よりも大きな値（例えば４Ｆδ）に設定する。これにより、演算領域を狭くしたことによる検出誤差を許容でき、一方の領域の検出結果のみが領域１の検出結果と大きく離れていた場合にＡＦ枠の表示数を減らすことができる。
【手続補正７】
【補正対象書類名】明細書
【補正対象項目名】００３６
【補正方法】変更
【補正の内容】
【００３６】
ステップＳ１０８では、システムコントローラ１１３は、ステップＳ１０６の検出結果ｄｅｆ３とステップ１０２の検出結果ｄｅｆ１の差を判定する。差（｜ｄｅｆ３−ｄｅｆ１｜）が判定値ａよりも小さい場合は、ステップＳ１１１へ進む。一方、差（｜ｄｅｆ３−ｄｅｆ１｜）が判定値ａ以上（第２の所定値以上）の場合は、ステップＳ１１０へ進む。
【手続補正８】
【補正対象書類名】明細書
【補正対象項目名】００７５
【補正方法】変更
【補正の内容】
【００７５】
ステップＳ３０７では、ステップＳ３０２のラインセンサ視野３０３の検出結果ｄｅｆ４とラインセンサ視野３０５の検出結果ｄｅｆ６の差が判定値ｃ（第１の所定値）より小さいか否かを判定する。差（｜ｄｅｆ６−ｄｅｆ４｜）が判定値ｃよりも小さい場合は、ステップＳ３１０へ進む。一方、差（｜ｄｅｆ６−ｄｅｆ４｜）が判定値ｃ以上の場合は、ステップＳ３０９へ進む。  ステップＳ３１０では、システムコントローラ１１３は、ＡＦ枠表示回路１１８を介してＡＦ枠表示装置１０３中のＡＦ枠３０１とＡＦ枠３０２の両方を表示する。これは、ステップＳ３０６〜ステップＳ３０７の表示判定により、検出結果ｄｅｆ５と検出結果ｄｅｆ６が検出結果ｄｅｆ４と略一致したことで、主被写体はＡＦ枠３０１とＡＦ枠３０２の両方に存在すると判定されたためである。